(57)【要約】      （修正有）【課題】温泉施設・スポーツ施設などで入浴の際やエステなどで腰や体をタオルで巻いてカバーしたり入浴の際体を洗う時に使用するタオルを提供する。【解決手段】略長方形の９０〜１３０ｃｍの直線状の長辺Ｅを有するタオルであって、片方の短辺Ｂが３２〜１１０ｃｍであり他方の短辺Ａが片方の短辺Ｂより７〜１５ｃｍ短くなっており、長辺Ｅに対する他方の長辺Ｆが、片方の短辺Ｂから他方の長辺Ｆの中心までは長辺Ｅと略平行であり他方の長辺Ｆの中心から他方の短辺Ａまで略直線で結ばれた形状を有し、さらに他方の短辺Ａから５〜１５ｃｍ、他方の長辺Ｆから２〜１０ｃｍの位置に幅２〜６ｃｍの切込部Ｄを有する。【選択図】図１
0003196041.tif 000002
【実用新案登録請求の範囲】
【請求項１】
略長方形の９０〜１３０ｃｍの直線状の長辺（Ｅ）を有するタオルであって、片方の短辺（Ｂ）が３２〜１１０ｃｍであり他方の短辺（Ａ）が前記片方の短辺（Ｂ）より７〜１５ｃｍ短くなっており、前記長辺（Ｅ）に対する他方の長辺（Ｆ）が、前記片方の短辺（Ｂ）から前記他方の長辺（Ｆ）の中心までは長辺（Ｅ）と略平行であり前記他方の長辺（Ｆ）の中心から前記他方の短辺（Ａ）まで略直線で結ばれた形状を有し、さらに前記他方の短辺（Ａ）から５〜１５ｃｍ、前記他方の長辺（Ｆ）から２〜１０ｃｍの位置に幅２〜６ｃｍの切込部（Ｄ）を有することを特徴とするタオル。
【考案の詳細な説明】
【技術分野】
【０００１】温泉施設・スポーツ施設などで入浴の際やエステなどで腰や体をタオルで巻いてカバーしたり入浴の際体を洗う時に使用するタオルに関するものである。
【背景技術】
【０００２】従来、温泉施設や銭湯などでは裸で入浴しますが、入浴の際に腰にタオルを巻かれる方もいます。その際、小さなフェイスタオルを腰の横で縛ったり、大きめサイズの方などはバスタオルを巻いて浴場に入って来られる女性の方もいた。
通常のタオルサイズでは全ての方に対応できるサイズではなかった。
温浴施設で用意されたり現在あるカバーを目的としたタオルはボタンやスナップで留める、ゴムを使用されたりと着脱が面倒、スムーズに着脱できない、体を洗う事もできないなど利便性に欠けるなど難点があった。
【考案の概要】
【考案が解決しようとする課題】
【０００３】ただし、通常のタオルサイズでは全ての方に対応できるサイズではなかった。
温浴施設で用意されたり現在あるカバーを目的としたタオルはボタンやスナップで留める、ゴムを使用されたりと着脱が面倒、スムーズに着脱できない、体を洗う事もできないなど利便性に欠けるなど難点があった。
【考案が解決するための手段】
【０００４】上記課題を解決するために本考案は以下の構成とした。
【０００５】  本考案のタオルは、略長方形の９０〜１３０ｃｍの直線状の長辺（Ｅ）を有するタオルであって、片方の短辺（Ｂ）が３２〜１１０ｃｍであり他方の短辺（Ａ）が前記片方の短辺（Ｂ）より７〜１５ｃｍ短くなっており、前記長辺（Ｅ）に対する他方の長辺（Ｆ）が、前記片方の短辺（Ｂ）から前記他方の長辺（Ｆ）の中心までは長辺（Ｅ）と略平行であり前記他方の長辺（Ｆ）の中心から前記他方の短辺（Ａ）まで略直線で結ばれた形状を有し、さらに前記他方の短辺（Ａ）から５〜１５ｃｍ、前記他方の長辺（Ｆ）から２〜１０ｃｍの位置に幅２〜６ｃｍの切込部（Ｄ）を有することを特徴とするタオルである。
【考案の効果】
【０００６】  付属品を使わない一枚仕立てカッティングを工夫し切れ込み（ホール）に通すだけのデザインになった事で簡単に着用する事ができ面倒を省きスムーズに使えるタオルになりました。
【０００７】温泉施設などに入浴の際に裸になる恥じらいを緩和する事ができ、病気で手術痕を気にされる方も安心してカバーできるタオルになりました。
【０００８】巻くだけのデザインでありながら着用するとオシャレなスカートのようなオシャレに見えるデザインになりました。
【０００９】    体を洗う時は外して体を洗う時にも使う事ができます。
【００１０】    入浴の際や衣服の着脱の際のカバーとしても使える。一枚のタオルを切込部に通すだけでストッパーの役目となりタオルがずれる事なくボディにフィットするデザインになっている。切込部のサイズは２〜６ｃｍを基本とし反対側の端のタオルを切込部に通す事でフリーサイズ対応となりスライドさせる事で幅広いサイズ対応可能であり、また通したタオルの端を表に折り返す事で動いてもずれる事なく固定される簡単装着できるタオルになりました。
【図面の簡単な説明】
【００１１】
【図１】タオルの正面図
【図２】着用した状態を表す図
【考案を実施するための形態】
【００１２】本考案のタオルは、略長方形の９０〜１３０ｃｍの直線状の長辺（Ｅ）を有するタオルであって、片方の短辺（Ｂ）が３２〜１１０ｃｍであり他方の短辺（Ａ）が前記片方の短辺（Ｂ）より７〜１５ｃｍ短くなっており、前記長辺（Ｅ）に対する他方の長辺（Ｆ）が、前記片方の短辺（Ｂ）から前記他方の長辺（Ｆ）の中心までは長辺（Ｅ）と略平行であり前記他方の長辺（Ｆ）の中心から前記他方の短辺（Ａ）まで略直線で結ばれた形状を有し、さらに前記他方の短辺（Ａ）から５〜１５ｃｍ、前記他方の長辺（Ｆ）から２〜１０ｃｍの位置に幅２〜６ｃｍの切込部（Ｄ）を有することを特徴とするタオルである。
【００１３】    腰の位置で巻き他方の短辺（Ａ）のある方を下にして、片方の短辺（Ｂ）を重ね、切込部（Ｄ）に片方の短辺（Ｂ）を切込部（Ｄ）の上から通し内側から引き出し折り返して固定させる事で腰からずれる事なく簡単に着用できる。
【００１４】  フェイスタオルサイズや大判サイズ、ワンピースサイズまで生産可能で、通常使用されるタオル地が利用できる。
【００１５】    体への装着性がより求められる場合には伸縮性のある素材が好ましい。
【００１６】    切込部（Ｄ）の特徴は、切込部（Ｄ）２〜６ｃｍとし片方の短辺（Ｂ）を通して留めるストッパーの役目をする。
【００１７】斜めにカットは他方の長辺（Ｆ）で折り返した中心線の片方の短辺（Ｂ）のところを結んだ線を斜めにカットする事でずれる事なく綺麗に装着できる。
【００１８】（Ａ）他方の短辺として２３〜１０１ｃｍとする理由は（Ｂ）片方の短辺より短くする事で体に巻いて装着した時着用姿を綺麗に整え、ロングタイプや体への装着がより求められる時の為サイズ幅をもたせている。
（Ｂ）片方の短辺として３２〜１１０ｃｍとする理由は（Ａ）他方の短辺より長くする事で（Ｄ）切込部に通した時の長さ調節ができるよう（Ｂ）片方の短辺より長くする事で体に巻いて装着した時、着用姿を綺麗に整え、ロングタイプや体への装着がより求められる時の為サイズ幅をもたせている。
（Ｃ）の距離を（Ａ）他方の短辺から（Ｄ）切込部までの長さを５〜１５ｃｍとする理由は（Ｄ）切込部の設置場所の関係で全体のバランスを保つ位置に設置する為。
（Ｄ）切込部としては直線上の切込みでもよく、円、楕円、四角等の穴状でもよい。
切込部の周囲は糸等でかがっても良い。
切込部を２〜６ｃｍとする理由は（Ｂ）片方の短辺を通す役割の部分で通した（Ｂ）片方の短辺を固定する部分にもなっている。
（Ｅ）長辺としては、９０ｃｍ〜１３０ｃｍが好ましい。
（Ｆ）他方の長編として、３５〜７５ｃｍとする理由は腰や体に綺麗に装着するため中央線より斜めのラインとしている。
（Ｇ）の距離までを（Ｆ）他方の長編の中心から（Ａ）他方の短辺の７ｃｍ〜１５ｃｍ斜めにカットした高さにした理由は体に装着した時斜めにカットしてあることで全体のバランスがとれ綺麗に装着できる。
【符号の説明】
【００１９】（Ａ）  他方の短辺
（Ｂ）  片方の短辺
（Ｃ）  切込部から他方の短辺までの距離
（Ｄ）  切込部
（Ｅ）  長辺
（Ｆ）  他方の長辺
（Ｇ）  他方の長編から切込部までの距離
【図１】
0003196041.tif 000003
【図２】
0003196041.tif 000004